(57)【要約】【課題】従来の太陽光発電パネルは、発電に使われる太陽エネルギー以外は熱に変わり、パネル自体の温度が上がり発電効率を下げる恐れがあり、熱を外界に捨てなければならず、せっかくの熱エネルギーの有効利用がなされておらず、周りの構造物の温度を上げる弊害もあった。太陽光パネルに冷却構造を組み込む方法もあるが、大掛かりとなり、水を使う関係でパネル劣化などの不都合が生じる恐れがある。また温水を得るため太陽熱温水器を別に取り付けるとその分パネルの設置面積が減り、余計な手間と費用がかかる。そこでこの発明は、簡単に太陽光発電パネルを冷却し、ある程度の温水を得る事の出来る後付け型の装置を提供することを課題とする。【解決手段】以上の課題を解決するために、太陽光発電パネルの裏に密着し中を水が流れる容器を後付けする。【選択図】図１
2013152065.tif 000002
【特許請求の範囲】
【請求項１】
太陽光発電パネル裏に後付けする温水装置。
【発明の詳細な説明】
【技術分野】
【０００１】  この発明は、太陽光発電パネル裏に後付けする温水装置に関する。
【背景技術】
【０００２】従来の太陽光発電パネルは、発電に使われる太陽エネルギー以外は熱に変わり、パネル自体の温度が上がり発電効率を下げる恐れがあり、熱を外界に捨てなければならず、せっかくの熱エネルギーの有効利用がなされておらず、周りの構造物の温度を上げる弊害もあった。太陽光パネルに冷却構造を組み込む方法もあるが、大掛かりとなり、水を使う関係でパネル劣化などの不都合が生じる恐れがある。また温水を得るため太陽熱温水器を別に取り付けるとその分パネルの設置面積が減り、余計な手間と費用がかかる。
【先行技術文献】
【特許文献】
【０００３】
【特許文献１】
【特許文献２】
【非特許文献】
【０００４】
【非特許文献１】
【非特許文献２】
【発明の概要】
太陽光発電パネル裏に後付けする温水装置
【発明が解決しようとする課題】従来の太陽光発電パネルは、発電に使われる太陽エネルギー以外は熱に変わり、パネル自体の温度が上がり発電効率を下げる恐れがあり、熱を外界に捨てなければならず、せっかくの熱エネルギーの有効利用がなされておらず、周りの構造物の温度を上げる弊害もあった。太陽光パネルに冷却構造を組み込む方法もあるが、大掛かりとなり、水を使う関係でパネル劣化などの不都合が生じる恐れがある。また温水を得るため太陽熱温水器を別に取り付けるとその分パネルの設置面積が減り、余計な手間と費用がかかる。
そこでこの発明は、簡単に太陽光発電パネルを冷却し、ある程度の温水を得る事の出来る後付け型の装置を提供することを課題とする。
【・・・・】
【課題を解決するための手段】
以上の課題を解決するために、太陽光発電パネルの裏に密着し中を水が流れる容器を後付けする。
【・・・・】
【発明の効果】
この発明によれば、太陽熱によって温度が上り、太陽光発電パネルの効率を下げる恐れがなくなり、温水も得る事が出来る。建物の温度上昇を防ぐ事が出来、屋上に屋根を造るようなパネルに取り付ければ雨のかからない涼しい日陰のスペースが出来、水と容器の重みによって強風によるパネルの飛散防止になる。
【・・・・】
【図面の簡単な説明】
【・・・・】
【図１】
【発明を実施するための形態】
この発明の実施形態を図１に示す。
この容器は太陽光パネルの熱を効率良く吸収するため薄く、広く、藻の繁殖を防ぐため適度の遮光性を持ち成型が容易で安価な樹脂が望ましいがその他の材料でも良い。周辺に水の出入り口をつけ効率よく、自由に容器を接続できるようにする。熱の散逸を防ぐため発砲スチロールなどの断熱材で覆っても良い。取り付けはパネルの枠を利用した金具等で行う。得られた温水はタンクに貯めても、直接給湯設備に接続しても良い。
【・・・・】
【実施例】図１の通り
【・・・・】
【産業上の利用可能性】一般の家屋、その他建屋の屋根、空き地の有効利用。太陽光発電パネルで生じる熱の有効利用、冷却。
【・・・・】
【符号の説明】
【・・・・】
【受託番号】
【・・・・】
【図１】
2013152065.tif 000003
【手続補正書】
【提出日】平成24年4月3日(2012.4.3)
【手続補正１】
【補正対象書類名】明細書
【補正対象項目名】全文
【補正方法】変更
【補正の内容】
【発明の詳細な説明】
【技術分野】
【０００１】  この発明は、太陽光発電パネル裏に後付けする温水装置に関する。
【背景技術】
【０００２】従来の太陽光発電パネルは、発電に使われる太陽エネルギー以外は熱に変わり、パネル自体の温度が上がり発電効率を下げる恐れがあり、熱を外界に捨てなければならず、せっかくの熱エネルギーの有効利用がなされておらず、周りの構造物の温度を上げる弊害もあった。太陽光パネルに冷却構造を組み込む方法もあるが、大掛かりとなり、水を使う関係でパネル劣化などの不都合が生じる恐れがある。また温水を得るため太陽熱温水器を別に取り付けるとその分パネルの設置面積が減り、余計な手間と費用がかかる。
【先行技術文献】
【特許文献】
【０００３】
【特許文献１】
【特許文献２】
【非特許文献】
【０００４】
【非特許文献１】
【非特許文献２】
【発明の概要】
太陽光発電パネル裏に後付けする温水装置
【発明が解決しようとする課題】従来の太陽光発電パネルは、発電に使われる太陽エネルギー以外は熱に変わり、パネル自体の温度が上がり発電効率を下げる恐れがあり、熱を外界に捨てなければならず、せっかくの熱エネルギーの有効利用がなされておらず、周りの構造物の温度を上げる弊害もあった。太陽光パネルに冷却構造を組み込む方法もあるが、大掛かりとなり、水を使う関係でパネル劣化などの不都合が生じる恐れがある。また温水を得るため太陽熱温水器を別に取り付けるとその分パネルの設置面積が減り、余計な手間と費用がかかる。
そこでこの発明は、簡単に太陽光発電パネルを冷却し、ある程度の温水を得る事の出来る後付け型の装置を提供することを課題とする。
【・・・・】
【課題を解決するための手段】
以上の課題を解決するために、太陽光発電パネルの裏に密着し中を水が流れる容器を後付けする。
【・・・・】
【発明の効果】
この発明によれば、太陽熱によって温度が上り、太陽光発電パネルの効率を下げる恐れがなくなり、温水も得る事が出来る。建物の温度上昇を防ぐ事が出来、屋上に屋根を造るようなパネルに取り付ければ雨のかからない涼しい日陰のスペースが出来、水と容器の重みによって強風によるパネルの飛散防止になる。
【・・・・】
【図面の簡単な説明】
【図１】は太陽光発電パネルの裏に装置が付いた見取り図である。水出入り口、取付バンドは一例であり、その数、形態は他でも良い。
【装置図】
【図１】
装置見取り図
【発明を実施するための形態】
この発明の実施形態を図１に示す。
この容器は太陽光パネルの熱を効率良く吸収するため薄く、広く、藻の繁殖を防ぐため適度の遮光性を持ち成型が容易で安価な樹脂が望ましいがその他の材料でも良い。周辺に水の出入り口をつけ効率よく、自由に容器を接続できるようにする。熱の散逸を防ぐため発砲スチロールなどの断熱材で覆っても良い。取り付けはパネルの枠を利用した金具等で行う。得られた温水はタンクに貯めても、直接給湯設備に接続しても良い。
【・・・・】
【実施例】図１の通り
【・・・・】
【産業上の利用可能性】一般の家屋、その他建屋の屋根、空き地の有効利用。太陽光発電パネルで生じる熱の有効利用、冷却。
【・・・・】
【符号の説明】
【・・・・】
【受託番号】
【・・・・】